(57)【要約】ファイルの識別情報の指定を受け付け、指定されたファイルの識別情報に対応して記憶装置に登録された、当該ファイルのダウンロード元に関連するアドレスから表示データを取得し、ファイルの識別情報に対応して記憶装置に登録され且つ当該ファイルのダウンロードに関連して表示された画面についての第２の表示データを用いて表示装置に表示を行うと共に、取得された表示データを用いて表示装置に表示を行うようにする。このようにすることにより、利用者はダウンロード・サーバからダウンロードしたファイルを最新版に更新しようとする場合、最新版に更新したいファイルの管理名等の識別情報を指定すれば、過去にダウンロードした際の画面と、現在の対応する画面とが表示されるので、目的とするファイルを見つけ出すことが容易になる。
2003081435.tif 000002
【特許請求の範囲】
【請求項１】
ファイルの識別情報の指定を受け付けるステップと、
指定されたファイルの識別情報に対応して記憶装置に登録された、当該ファイルのダウンロード元に関連するアドレスから表示データを取得する取得ステップと、
前記ファイルの識別情報に対応して記憶装置に登録され且つ当該ファイルのダウンロードに関連して表示された画面についての第２の表示データを用いて表示装置に表示を行うと共に、取得された表示データを用いて前記表示装置に表示を行うステップと
を含む情報処理方法。
【請求項２】
ファイルの管理名の指定を受け付けるステップと、
指定されたファイルの管理名に対応して記憶装置に登録されたファイルの履歴情報を表示装置に表示する表示ステップと、
をさらに含む請求項１記載の情報処理方法。
【請求項３】
前記取得ステップにより取得された表示データを用いて表示装置に表示された画面においてファイルのダウンロードが指示された場合、前記取得ステップにより取得された表示データ又は当該表示データを用いて表示装置に表示される画面についてのデータを記憶装置に追加登録する登録ステップ
をさらに含む請求項１記載の情報処理方法。
【請求項４】
ダウンロードされたファイルを利用者の指定保存先に加えて所定の保存先に格納するステップをさらに含む請求項３記載の情報処理方法。
【請求項５】
ファイルのダウンロードが行われた日時を取得する日時取得ステップをさらに含み、
前記登録ステップにおいて、前記日時取得ステップにおいて取得された日時の情報を前記ダウンロード元に関連するアドレスと共に記憶装置に追加登録する
ことを特徴とする請求項３記載の情報処理方法。
【請求項６】
前記第２の表示データに関連して再読み込み指示を受け付けた場合、指定されたファイルの保存先から当該ファイルを読み出し、指定の保存先に再格納するステップをさらに含む請求項１記載の情報処理方法。
【請求項７】
前記表示ステップにおいて、上で述べた表示データを用いた表示及び第２の表示データを用いた表示を同時に行うことを特徴とする請求項１記載の情報処理方法。
【請求項８】
ファイルの識別情報の指定を受け付けるステップと、
指定されたファイルの識別情報に対応して記憶装置に登録された、当該ファイルのダウンロード元に関連するアドレスから表示データを取得させる取得ステップと、
前記ファイルの識別情報に対応して記憶装置に登録され且つ当該ファイルのダウンロードに関連して表示された画面についての第２の表示データを用いて表示装置に表示を行わせると共に、取得された前記表示データを用いて前記表示装置に表示を行わせるステップと、
をコンピュータに実行させるためのプログラム。
【請求項９】
ファイルの識別情報の指定を受け付ける手段と、
指定されたファイルの識別情報に対応して記憶装置に登録された、当該ファイルのダウンロード元に関連するアドレスから表示データを取得する取得手段と、
ファイルの識別情報に対応して記憶装置に登録され且つ当該ファイルのダウンロードに関連して表示された画面についての第２の表示データを用いて表示装置に表示を行うと共に、取得された表示データを用いて表示装置に表示を行う手段と、
を有する情報処理装置。
【発明の詳細な説明】
［技術分野］
本発明は、ネットワーク上のサーバからファイルをダウンロードする場合における情報処理技術に関する。
［背景技術］
例えばコンピュータ・ネットワークであるインターネット上のウェブ（Ｗｅｂ）サーバからファイル（例えばドキュメントやドライバ等）をダウンロードして、Ｗｅｂブラウザ機能を有するパーソナル・コンピュータ（以下ＰＣ（Ｐｅｒｓｏｎａｌ  Ｃｏｍｐｕｔｅｒ）という）に格納する場合、利用者は、まず目的のファイルをダウンロード可能なサーバのＷｅｂページを検索して見つけ出し、ファイルをダウンロードしてＰＣに格納している。
しかし、利用者が以前ダウンロードしたファイルを最新版に更新しようとする場合、ダウンロード元のＷｅｂページのＵＲＬ（Ｕｎｉｆｏｒｍ  Ｒｅｓｏｕｒｃｅ  Ｌｏｃａｔｏｒ）を控えていないことが多く、再度ダウンロード元のＷｅｂページを検索し直さなければならず、利用者は手間がかかってしまっていた。
また、以前ダウンロードしたファイルを再度使用したい場合に、どこに保存したのか忘れてしまう場合もある。このような場合、再度当該ファイルをダウンロードすることになるが、既にダウンロード不可能になっている場合もある。
［発明の開示］
従って本発明の目的は、ファイルをダウンロードする際において、利用者の利便性を向上するための技術を提供することにある。
本発明の第１の態様に係る情報処理方法は、ファイルの識別情報の指定を受け付けるステップと、指定されたファイルの識別情報に対応して記憶装置に登録された、当該ファイルのダウンロード元に関連するアドレス（例えばＵＲＬ）から表示データ（例えばＨＴＭＬ（Ｈｙｐｅｒ  Ｔｅｘｔ  Ｍａｒｋｕｐ  Ｌａｎｇｕａｇｅ）ファイル及び当該ＨＴＭＬファイルから読み出される画像ファイル（例えばＧＩＦファイル））を取得する取得ステップと、ファイルの識別情報に対応して記憶装置に登録され且つ当該ファイルのダウンロードに関連して表示された画面についての第２の表示データ（例えばＨＴＭＬファイル及び当該ＨＴＭＬファイルから読み出される画像ファイル又はＨＴＭＬファイル及び画像ファイル等のイメージ化したデータ））を用いて表示装置に表示を行うと共に、取得された表示データを用いて表示装置に表示を行うステップとを含む。
このようにすることにより、利用者はダウンロード・サーバからダウンロードしたファイルを最新版に更新しようとする場合、最新版に更新したいファイルの管理名等の識別情報を指定すれば、過去にダウンロードした際の画面と、現在の対応する画面とが表示されるので、目的とするファイルを見つけ出すことが容易になる。
なお、ファイルの管理名の指定を受け付けるステップと、指定されたファイルの管理名に対応して記憶装置に登録されたファイルの履歴情報を表示装置に表示する表示ステップを含む構成であってもよい。このようにすることにより、利用者はダウンロードしたいファイルの管理名を指定すれば、管理名に関連付けてダウンロードしたファイルのダウンロード履歴状況を把握できるようになる。
また、取得ステップにより取得された表示データを用いて表示装置に表示された画面においてファイルのダウンロードが指示された場合、取得ステップにより取得された表示データ又は当該表示データを用いて表示装置に表示される画面についてのデータを記憶装置に追加登録する登録ステップを含む構成であってもよい。このように、最新版のファイルのダウンロードに係る画面に関するデータを登録するので、再度ダウンロードする際に利用できるようになる。
さらに、ダウンロードされたファイルを利用者の指定保存先に加えて所定の保存先に格納するステップを含むような構成であってもよい。このようにすることにより、利用者はダウンロードしたファイルの保存先を忘れてしまった場合であっても、所定の保存先から取り出すことができるようになる。
さらに、ファイルのダウンロードが行われた日時を取得する日時取得ステップを含み、上で述べた登録ステップにおいて、日時取得ステップにおいて取得された日時の情報をダウンロード元に関連するアドレスと共に記憶装置に追加登録する構成であってもよい。このようにすることにより、利用者はダウンロード・サーバからファイルのダウンロードを行った日時及びダウンロード・サーバに関連するアドレス（例えばＵＲＬ）を登録・利用できるようになる。
さらに、上で述べた第２の表示データに関連して再読み込み指示を受けた場合、指定されたファイルの所定の保存先から当該ファイルを読み出し、今回指定の保存先で再格納するステップを含む構成であってもよい。このようにすることにより、利用者はダウンロードしたファイルの保存先を忘れた場合であっても、当該ダウンロードしたファイルを新たに指定した保存先に格納できるようになる。
さらに、上で述べた表示ステップにおいて、上で述べた表示データを用いた表示及び第２の表示データを用いた表示を同時に又は並列して行う構成であってもよい。このようにすることにより、利用者はダウンロード・サーバが管理する最新版及び過去のファイルのダウンロードに係る画面を比較することができるようになる。
本発明の第２の態様に係る情報処理プログラムは、コンピュータに、ファイルの識別情報の指定を受け付けるステップと、指定されたファイルの識別情報に対応して記憶装置に登録された、当該ファイルのダウンロード元に関連するアドレスから表示データを取得させる取得ステップと、ファイルの識別情報に対応して記憶装置に登録され且つ当該ファイルのダウンロードに関連して表示された画面についての第２の表示データを用いて表示装置に表示を行わせると共に、取得された表示データを用いて表示装置に表示を行わせるステップとを実行させるものである。
なお、当該情報処理プログラムは、コンピュータ・ハードウェアと組み合わせることにより、情報処理装置を構成する。また、当該情報処理プログラムは、例えばフレキシブルディスク、ＣＤ−ＲＯＭ、光磁気ディスク、半導体メモリ、ハードディスク等の記憶媒体又は記憶装置に格納される。また、ネットワークなどを介して配布される場合もある。尚、中間的な処理結果はメモリに一時保管される。
［本発明を実施するための最良の形態］
第１図に本発明の実施の形態におけるシステム構成例を示す。
コンピュータ・ネットワークであるインターネット１には、Ｗｅｂサーバ機能を有する１又は複数のダウンロード・サーバ２及び利用者により操作される１又は複数のＰＣ３が接続されている。ＰＣ３は、インターネット１を介してダウンロード・サーバ２と通信を行う機能やＷｅｂブラウザ機能を含むＯＳ（オペレーティング・システム：Ｏｐｅｒａｔｉｎｇ  Ｓｙｓｔｅｍ）４、ダウンロード情報登録プログラム５及びダウンロード履歴参照プログラム６を含むダウンロード支援プログラム７、管理マスタ・ファイル８及び履歴管理マスタ・ファイル９を格納する記憶装置１０、及び表示装置１１が含まれる。
なお、ダウンロード情報登録プログラム５は、ダウンロード・サーバ２からダウンロードしたファイル（例えばドキュメントやドライバ、プログラムのアップデート版等）及びダウンロード・サーバ２から送信されるＷｅｂページ・データを取得し、管理下ディレクトリに保存する処理等を行うプログラムである。
また、ダウンロード履歴参照プログラム６は、ダウンロード・サーバ２から過去にダウンロードしたＷｅｂページ・データ及び現在の対応するＷｅｂページ・データを取得し、両Ｗｅｂページを表示装置１１に並列して表示する処理等を行うプログラムである。
第２図に管理マスタ・ファイル８に格納されるデータの一例を示す。第２図の例では、ダウンロード・サーバ２からダウンロードしたファイルを管理する単位を表す管理名の列８０１と、ダウンロード・サーバ２からファイルをダウンロードした最終の日時を示す最終更新日時の列８０２と、対応する履歴管理マスタ・ファイル９のファイル名を示す履歴管理マスタ・ファイルの列８０３とが設けられている。
第３図に履歴管理マスタ・ファイル９に格納されるデータの一例を示す。第３図の例では、ダウンロード・サーバ２からファイルをダウンロードした日時を示す日時の列９０１と、ダウンロード・サーバ２により管理されるファイルのダウンロードに係るＷｅｂページのＵＲＬの列９０２と、ダウンロードしたファイルのサイズを示すファイルサイズの列９０３と、ダウンロードしたファイルの保存アドレスを示す保存アドレス（管理下ディレクトリ及びファイル名）の列９０４と、ファイルのダウンロードに係るＷｅｂページ・データの保存アドレスを示す保存アドレス（管理下ディレクトリ）の列９０５とが設けられている。なお、ＣＣＣ９０６は履歴管理マスタ・ファイル名を示しており、第２図における履歴管理マスタ・ファイルの列８０３のデータから第３図の例は管理名「文太郎」に係る履歴管理マスタ・ファイルを示していることが分かる。
次に、第４図乃至第８図を用いてダウンロード情報登録プログラム５等の処理フローについて説明する。最初に、利用者はＰＣ３を操作してダウンロード・サーバ２により管理されるファイルのダウンロードに係るＷｅｂページにアクセスすると、ＰＣ３はＯＳ４に含まれるＷｅｂブラウザ機能により、ダウンロード・サーバ２からファイルのダウンロードに係るＷｅｂページ・データを受信して、第５図に示すＷｅｂページを表示装置１１に表示する。第５図の例では、Ｗｅｂブラウザのファンクション・ボタンとして、Ｗｅｂページを１つ前のＷｅｂページに戻すときにクリックする「戻る」ボタン５１、Ｗｅｂページを１つ先のＷｅｂページに進めるときにクリックする「進む」ボタン５２、現在表示しているＷｅｂページを再読込みするときにクリックする「再読込」ボタン５３、及び処理を中止するときにクリックする「中止」ボタン５４が表示されている。また、Ｗｅｂページのアドレス（ここではｈｔｔｐ：／／ｗｗｗ．ａｂｃｄ．ｃｏｍ／ｄｏｗｎｌｏａｄ．ｈｔｍｌ（ドメイン名ｗｗｗ．ａｂｃｄ．ｃｏｍというサーバのｄｏｗｎｌｏａｄ．ｈｔｍｌというファイルをｈｔｔｐ（ｈｙｐｅｒ  Ｔｅｘｔ  Ｔｒａｎｓｆｅｒ  Ｐｒｏｔｏｃｏｌ）によって取得したことを示している））表示欄５５及びＯＳ４の時計機能からの出力に基づき現在の時刻（２００１／１０／３０  １８：１０）を表示する時刻表示欄５６が含まれている。さらに、ダウンロード・サーバ２においてダウンロード対象として用意されたビジネスツールの「文書作成ソフト「文太郎」Ｖｅｒ．１．５」へのリンク５７、ドライバーズの「××社製ＬＡＮドライバ１３５−７Ｘ」へのリンク５８、及び「△△社製ＬＡＮドライバ２００１」へのリンク５９が表示されている。
ここで、利用者がビジネスツールとしての「文書作成ソフト「文太郎」Ｖｅｒ．１．５」をダウンロード対象に選択し、ポインタ６０をリンク５７まで移動させてクリックすると（ステップＳ１）、ＯＳ４が、例えば第５図に示すＷｅｂページ上に、「文書作成ソフト「文太郎」Ｖｅｒ．１．５」の格納先問合せウインドウ６１を第６図に示すとおり表示装置１１に表示する（ステップＳ３）。第６図の例では、「文書作成ソフト「文太郎」Ｖｅｒ．１．５」の格納先入力欄６２、入力した格納先がＯＫであればクリックされる「ＯＫ」ボタン６３及び格納先を参照・選択したい場合にクリックする「参照」ボタン６４が表示されている。なお、その他の表示項目については第５図で説明したので説明を省略する。利用者が第６図の格納先問合せウインドウ６１の格納先入力欄６２に格納先（ｃ：￥ｐｒｏｇｒａｍ  ｆｉｌｅｓ￥ｂｕｎｔａ．ｅｘｅ（Ｃドライブ上のｐｒｏｇｒａｍ  ｆｉｌｅｓディレクトリのｂｕｎｔａ．ｅｘｅファイルとして格納することを示す））を入力し、「ＯＫ」ボタン６３をクリックすると（ステップＳ５）、ＯＳ４がファイルのダウンロードを実行し、例えば第５図に示すＷｅｂページ上に、第７図に示すとおりダウンロード実行処理状況表示ウインドウ７１を表示する（ステップＳ７）。第７図の例では、ダウンロード元のＵＲＬ（ｈｔｔｐ：／／ｗｗｗ．ａｂｃｄ．ｃｏｍ／ｄｏｗｎｌｏａｄ／ｂｕｎｔａ．ｅｘｅ（ドメイン名ｗｗｗ．ａｂｃｄ．ｃｏｍというサーバのｄｏｗｎｌｏａｄディレクトリ内のｂｕｎｔａ．ｅｘｅファイルをｈｔｔｐによって取得していることを示している））表示部７２、ダウンロード実行処理状況表示部７３、転送（ダウンロード実行）済み表示部７４（１２３４５ｂｙｔｅ／２１１００ｂｙｔｅ（２１１００ｂｙｔｅのサイズからなるファイルのうち現在１２３４５ｂｙｔｅが転送済みであることを示している））及び転送率表示部７５（４３．５ｋｂｙｔｅ／ｓｅｃ（１秒間に４３．５ｋｂｙｔｅの転送率でダウンロードしていることを示している））が表示される。なお、その他の表示項目については第５図で説明したので、説明を省略する。
次に、ＯＳ４はステップＳ５で利用者により入力された格納先（ｃ：￥ｐｒｏｇｒａｍ  ｆｉｌｅｓ￥ｂｕｎｔａ．ｅｘｅ）にダウンロードしたファイルを格納し（ステップＳ９）、ダウンロード支援プログラム７を起動する（ステップＳ１１）。なお、ダウンロード支援プログラム７の起動は、ダウンロード指示に応じて実行してもよいし、ＯＳ４からステップＳ５で指示されたファイルの格納先の情報を取得できればダウンロード終了後であってもよい。また、ダウンロード指示からダウンロード終了までの間であってもよい。さらに常駐させる場合もある。これはダウンロードしたファイル格納先を取得・保持するためである。なお、既に起動されている場合には、本段階において再度起動することはない。起動したダウンロード支援プログラム７は、まずダウンロード情報登録プログラム５により第４図のステップＳ１３乃至ステップＳ２５（ステップＳ１７を除く）の各処理を行った後、ダウンロード履歴参照プログラム６によりステップＳ３１乃至ステップＳ５７（第９図）の各処理を行う。但し、ダウンロード情報登録プログラム５とダウンロード履歴参照プログラム６の実行は、時間的に間隔が空いている場合が多い。
最初にダウンロード情報登録プログラム５は、管理マスタ・ファイル８より管理名を取得する（ステップＳ１３）。すなわち、管理マスタ・ファイル８には、第２図に示すとおり「貼り付けツール」、「日の丸ゲーム」、「文太郎」、「ヘルプミー」、「本の虫３０」等が登録されており、ダウンロード情報登録プログラム５はこれらの管理名を取得する。
そうすると、第８図に示すとおり管理名入力ウインドウ８１を表示装置に表示する（ステップＳ１５）。第８図の例では、管理名の入力欄８２及び「ＯＫ」ボタン８３が表示されている。なお、管理名の入力欄８２の右横にある「▼」ボタンをクリックすると管理マスタ・ファイル８に登録されている管理名一覧が表示される。すなわち管理名の入力欄８２は、コンボボックスとして構成される。そして、利用者が第８図に示した管理名入力ウインドウ８１の管理名の入力欄８２に管理名（ここでは文太郎）を入力又は選択し、「ＯＫ」ボタン８３をクリックすると（ステップＳ１７）、ダウンロード情報登録プログラム５は管理マスタ・ファイル８を入力された情報に基づき更新する（ステップＳ１９）。すなわち、第２図に示す管理マスタ・ファイル８の「文太郎」に対応した最終更新日時を、ダウンロードした日時である「２００１／１０／３０  １８：１０」で更新する。なお、新規の管理名が入力された場合には新たなレコードを管理マスタ・ファイル８に記録する。
次に、格納先（ｃ：￥ｐｒｏｇｒａｍ  ｆｉｌｅｓ￥ｂｕｎｔａ．ｅｘｅ）にダウンロードしたファイルを、管理下ディレクトリ（ｃ：￥ｄｏｗｎ￥ｆｉｌｅ￥文太郎￥）にコピーして保存する（ステップＳ２１）。この管理下ディレクトリは、管理ディレクトリ（ｃ：￥ｄｏｗｎ￥ｆｉｌｅ）という共通のディレクトリにおける管理名（文太郎）で構成され、またファイル名はダウンロード日時（２００１１０３０１８１０）で構成される。そして、ダウンロード情報登録プログラム５はダウンロード元のＷｅｂページ・データ（ＨＴＭＬファイル及び当該ＨＴＭＬファイルに読み出されるＧＩＦファイル等を含む）をＷｅｂブラウザから取得し、管理下ディレクトリ（ｃ：￥ｄｏｗｎ￥ｉｍｇ￥文太郎￥２００１１０３０１８１０￥）にコピーして保存する（ステップＳ２３）。また、ダウンロード元のＷｅｂページのＵＲＬをＷｅｂブラウザから取得する。この管理下ディレクトリは、管理ディレクトリ（ｃ：￥ｄｏｗｎ￥ｉｍｇ）、管理名（文太郎）及びダウンロード日時（２００１１０３０１８１０）から構成されている。ファイル名についてはダウンロード・サーバ２におけるファイル名でよい。なお、ステップＳ２３において、ダウンロード元のＷｅｂページのデータをＨＴＭＬファイル及びＧＩＦファイル等で取得したが、ダウンロード情報登録プログラム５は取得したＨＴＭＬファイル及びＧＩＦファイルを仮想メモリ上に展開することによりイメージ化して、例えばＧＩＦファイルとして保存するようにしてもよい。
その後ダウンロード情報登録プログラム５は、ダウンロードした日時（２００１／１０／３０  １８：１０）、ダウンロード元のＵＲＬ（ｈｔｔｐ：／／ｗｗｗ．ａｂｃｄ．ｃｏｍ／ｄｏｗｎｌｏａｄ．ｈｔｍｌ）、ファイルサイズ（２１１００）、ファイルの保存アドレス（ｃ：￥ｄｏｗｎ￥ｆｉｌｅ￥文太郎￥２００１１０３０１８１０．ｅｘｅ）及びＷｅｂページ・データの保存アドレス（ｃ：￥ｄｏｗｎ￥ｉｍｇ￥文太郎￥２００１１０３０１８１０￥）を、第３図の履歴管理マスタ・ファイル９に記録する（ステップＳ２５）。すなわち、ダウンロードした日時についてはＯＳ４の時計機能から時刻を取得して日時の列９０１に格納する。ダウンロード元のＵＲＬについては上記のごとくＷｅｂブラウザから取得してＵＲＬの列９０２に格納する。さらに、ファイルサイズはファイルを管理下ディレクトリに保存する際等に例えばＯＳ４から取得して、ファイルサイズの列９０３に格納する。また、ファイルの保存アドレスについてはステップＳ２１において用いた管理下ディレクトリ及びファイル名をファイルの保存アドレスの列９０４に格納し、Ｗｅｂページ・データの保存アドレスについてはステップＳ２３において用いた管理下ディレクトリをＷｅｂページ・データの保存アドレスの列９０５に格納する。
以上のような処理を実施することにより、後に最新版のファイルをダウンロードしたり、今回ダウンロードしたファイルが見つからなくなった等の理由で再読み込みを行う際に、非常に簡単な操作で済むようになる。
次に、第９図乃至第１３図を用いてダウンロード履歴参照プログラム６の処理フローについて説明する。最初に、利用者が図示せぬ初期画面から「ダウンロード履歴参照プログラム」又は「ダウンロード支援プログラム」を選択し起動指示すると（ステップＳ３１）、ダウンロード履歴参照プログラム６が起動される。起動されたダウンロード履歴参照プログラム６は、まず管理マスタ・ファイル８に登録された管理名情報を読み出して（ステップＳ３３）、第１０図に示すような選択画面を表示装置に表示する（ステップＳ３５）。第１０図の例では、管理名表示欄１０１及び当該管理名に対応するファイルをダウンロードした最終の日時を示す最終更新日時表示欄１０２を含むテーブル部と、現在の時刻（２００２／０１／２４  １２：１０）を表示する時計表示欄１０３とが含まれる。管理名表示欄１０１は、管理マスタ・ファイル８に管理名として登録された「貼り付けツール」、「日の丸ゲーム」、「文太郎」、「ヘルプミー」、「本の虫３０」等が表示され、最終更新日時表示欄１０２は、各管理名に対応するファイルをダウンロードした最終の日時が表示される。
以下、利用者が以前ダウンロードした「文太郎」のファイルを最新版に更新する場合又は旧版を再読み込みする場合について説明する。利用者が、選択画面において管理名の「文太郎」をクリックすると（ステップＳ３７）、ダウンロード履歴参照プログラム６は第１０図の「文太郎」が選択されたことを示す表示を行う。第１０図の例では、「文太郎」に網掛け表示を行っている。また、ダウンロード履歴参照プログラム６は管理マスタ・ファイル８において、クリックされた管理名（「文太郎」）に対応する履歴管理マスタ・ファイルの列８０３（第２図：ＣＣＣ）にアクセスし、履歴管理マスタ・ファイル９から「ＣＣＣ」で関係付けられた「文太郎」に係るダウンロード履歴情報を読み込み（ステップＳ３９）、第１１図に示すような詳細画面を表示装置１１に表示する（ステップＳ４１）。第１１図の例では、管理名表示欄１１０と、ダウンロード・サーバ２からファイルをダウンロードした日時を示す日時表示欄１１１と、ダウンロード・サーバ２により管理されるファイルのダウンロードに係わるＷｅｂページのＵＲＬを示すＵＲＬ表示欄１１２と、ダウンロードしたファイルのサイズを示すファイルサイズ表示欄１１３と、ダウンロードしたファイルの保存アドレスを示すファイルの保存アドレス表示欄１１４と、ファイルのダウンロードに係るＷｅｂページ・データの保存アドレスを示すＷｅｂページ・データの保存アドレス表示欄１１５とが設けられており、ファイルのダウンロード実行毎にこれらのデータを含むダウンロード履歴が表示される。また、現在の時刻（２００２／０１／２４  １２：１０）を表示する時計表示欄１１６も設けられている。
次に、利用者が第１１図に示す詳細画面上の１つのダウンロード履歴をクリックすると（ステップＳ４３：ここでは２００１／１０／３０  １８：１０のダウンロード履歴がクリックされるものとする。）、ダウンロード履歴参照プログラム６はクリックされたダウンロード履歴に対応するＵＲＬ及びＷｅｂページ・データを履歴管理マスタ・ファイル９を用いて取得する（ステップＳ４５）。すなわち、ＵＲＬについてはＵＲＬの列９０２に記憶された“ｈｔｔｐ：／／ｗｗｗ．ａｂｃｄ．ｃｏｍ／ｄｏｗｎｌｏａｄ．ｈｔｍｌ“を取得し、またＷｅｂページ・データについてはＷｅｂページ・データの保存アドレスの列９０５に記憶された管理下ディレクトリ（ｃ：￥ｄｏｗｎ￥ｆｉｌｅ￥文太郎￥２００１１０３０１８１０．ｅｘｅ）をもとにＷｅｂページ・データをインターネット１を介して取得する。その後、ダウンロード履歴参照プログラム６は取得したＵＲＬのＷｅｂページ・データを取得し、取得した現在のＷｅｂページ・データ及びステップＳ４５において取得した過去のＷｅｂページ・データをもとに第１２図に示すようなダウンロード情報画面として表示装置１１に表示する（ステップＳ４７）。第１２図の例では、左側に２００１／１０／３０  １８：１０にダウンロードした際の過去のＷｅｂ画面１２０、右側に現在のＷｅｂ画面１２１が並列に表示される。過去のＷｅｂ画面１２０は第５図で説明したものと同一のものであるため説明を省略する。また現在のＷｅｂ画面１２１には、現在ダウンロード・サーバ２がダウンロード対象として用意しているビジネスツールの「文書作成ソフト「文太郎」Ｖｅｒ．１．７」へのリンク１２２、「文書作成ソフト「文太郎」Ｖｅｒ．１．５」へのリンク１２３、ドライバーズの「××社製ＬＡＮドライバ１３５−７Ｘ」へのリンク１２４、及び「△△社製ＬＡＮドライバ２００１」へのリンク１２５が表示されている。さらに、２００１／１０／３０  １８：１０にダウンロードしたファイルを再読み込みする場合にクリックする再読み込みボタン１２３も表示されている。
この表示状態で利用者が以前ダウンロードしたファイルを再読み込みしたい場合（ステップＳ４９：Ｙｅｓルート）、利用者は再読み込みボタン１２３をクリックする（ステップＳ５１）。このクリックに応じて、ダウンロード履歴参照プログラム６は、例えば第１２図に示すダウンロード情報画面上に、再読み込みするファイルの格納先問合せウインドウ１３０を第１３図のとおり表示装置１１に表示する（ステップＳ５３）。
第１３図の例では、ダウンロードしたファイルの格納先入力欄１３１、入力した格納先がＯＫであればクリックされる「ＯＫ」ボタン１３２及び格納先を参照・選択したい場合にクリックする「参照」ボタン１３３が表示されている。利用者が第１３図の格納先問合せウインドウ１３０の格納先入力欄１３１に格納先（ｃ：￥ｐｒｏｇｒａｍ  ｆｉｌｅｓ￥ｂｕｎｔａ．ｅｘｅ（Ｃドライブ上のｐｒｏｇｒａｍ  ｆｉｌｅｓディレクトリのｂｕｎｔａ．ｅｘｅファイルとして格納することを示す））を入力し、「ＯＫ」ボタン１３２をクリックすると（ステップＳ５５）、ダウンロード履歴参照プログラム６は管理下ディレクトリ（ｃ：￥ｄｏｗｎ￥ｆｉｌｅ￥文太郎￥）に保存されたファイル（２００１１０３０１８１０．ｅｘｅ）を、ステップＳ５５において入力された格納先（ｃ：￥ｐｒｏｇｒａｍ  ｆｉｌｅｓ￥ｂｕｎｔａ．ｅｘｅ）にコピーして保存する（ステップＳ５７）。
このようにすると、例えば以前にダウンロードしたファイルの保存先が分からなくなったといった場合であっても、簡単に再取得することができる。再度ダウンロードするより短い時間で済む。また、再ダウンロードできなくなっているかもしれないので、自分のＰＣ３から再取得できれば非常に有効である。
一方、ステップＳ４７においてダウンロード情報画面が表示されているときに、例えば利用者がビジネスツールとしての「文書作成ソフト「文太郎」Ｖｅｒ．１．７」へのリンク１２２をダウンロード対象に選択した場合には（ステップＳ４９：Ｎｏルート）、このリンク１２２をクリックするので、端子１を介してステップＳ１に移行する（第４図）。そして、上述同様、ダウンロード情報登録プログラム５が、ダウンロード元からダウンロードした「文書作成ソフト「文太郎」Ｖｅｒ．１．７」のファイル及びダウンロード元のＷｅｂページ・データを管理下ディレクトリに保存すると共に、ダウンロードした日時（２００２／０１／２４  １２：１０）、ダウンロード元のＵＲＬ（ｈｔｔｐ：／／ｗｗｗ．ａｂｃｄ．ｃｏｍ／ｄｏｗｎｌｏａｄ．ｈｔｍｌ）、ファイルサイズ、ファイルの保存アドレス（ｃ：￥ｄｏｗｎ￥ｆｉｌｅ￥文太郎￥２００２０１２４１２１０．ｅｘｅ）及びＷｅｂページ・データの保存アドレス（ｃ：￥ｄｏｗｎ￥ｉｍｇ￥文太郎￥２００２０１２４１２１０￥）を取得し、第３図の履歴管理マスタ・ファイル９に記録する。
以上のような処理を実施することにより、特定のファイルのダウンロード元ＷｅｂページのＵＲＬが分からなくなってしまっても、本ダウンロード支援プログラム７を使用することにより簡単に最新のファイル等をダウンロードできるようになる。特に、過去のダウンロード元画面と現在の対応する画面が並列して表示されると、画面上どのような事項が変更されているかを確認しやすく、目的のファイルを見つけやすくなる。
以上本発明の一実施例を説明したが、本発明はこれに限定されるものではない。上の例ではインターネット１を介してファイルをダウンロードするような場合を説明しているが、インターネット１は一例であってＬＡＮ（Ｌｏｃａｌ  Ａｒｅａ  Ｎｅｔｗｏｒｋ）に接続されたサーバからファイルをダウンロードする場合であってもよい。また、ダウンロード履歴参照プログラム６は、自身が過去のダウンロード元画面と現在の対応する画面とを並列に表示する構成であったが、Ｗｅｂブラウザを２つ起動して同時に表示させるようにしても良い。
またダウンロード・サーバ２には、ダウンロードのためのＷｅｂサイトのみが存在しており、実際のダウンロード元のサーバはダウンロード・サーバ２とは異なる場合もある。
さらにダウンロード情報登録プログラム５により保存されるＷｅｂページ・データは、上の実施例では自動的に決定されていたが、利用者が保存するＷｅｂページ・データを指定できるようにすることも可能である。サイトのページ構成によっては直前のＵＲＬでない方が、後の参照のために好ましい場合もあるからである。
図１に示したダウンロード支援プログラム７の機能ブロック構成及び記憶装置１０のファイル構成は一例であって、他の構成にて実装する場合もある。
【図面の簡単な説明】
第１図は、本発明の実施の形態におけるシステム構成例を示す図である。
第２図は、管理マスタ・ファイルに格納されるデータの一例を示す図である。
第３図は、履歴管理マスタ・ファイルに格納されるデータの一例を示す図である。
第４図は、ダウンロード情報登録プログラム等の処理フローを示す図である。
第５図は、ダウンロード画面の一例を示す図である。
第６図は、ダウンロードするファイルの格納先を入力する際の画面の一例を示す図である。
第７図は、ダウンロード中の画面の一例を示す図である。
第８図は、ダウンロードしたファイルの管理名を入力する際の画面の一例を示す図である。
第９図は、ダウンロード履歴参照プログラムの処理フローを示す図である。
第１０図は、管理名の選択画面の一例を示す図である。
第１１図は、ダウンロードしたファイルのダウンロード履歴に係る詳細画面を示す図である。
第１２図は、ダウンロード情報画面の一例を示す図である。
第１３図は、再読み込みするファイルの格納先を入力する際の画面の一例を示す図である。
【図１】
2003081435.tif 000003
【図２】
2003081435.tif 000004
【図３】
2003081435.tif 000005
【図４】
2003081435.tif 000006
【図５】
2003081435.tif 000007
【図６】
2003081435.tif 000008
【図７】
2003081435.tif 000009
【図８】
2003081435.tif 000010
【図９】
2003081435.tif 000011
【図１０】
2003081435.tif 000012
【図１１】
2003081435.tif 000013
【図１２】
2003081435.tif 000014
【図１３】
2003081435.tif 000015
【国際調査報告】
2003081435.tif 000016
2003081435.tif 000017